(57)【特許請求の範囲】
【請求項１】
第１ケース体と、該第１ケース体とヒンジ軸を中心に開閉可能に組み付けられる第２ケース体とを備え、前記第１ケース体と第２ケース体とが組み付けられて形成される基板収納部に回路基板が収納されたまま封止される遊技機用基板収納ケースであって、
前記第２ケース体に外方に向けて突設された一対のヒンジ軸と、
前記各ヒンジ軸を軸方向外側より側面開口部に設けられた軸穴に嵌め込んで袋状に覆う第１袋部と、前記第１袋部の周囲に底壁部を共通とし当該第１袋部を袋状に覆う第２袋部が形成された一対のヒンジ連結部材と、
前記第１ケース体に設けられ、前記第２袋部の周面に形成された周面開口部から前記第２袋部の側面開口部内に挿入されて袋状内壁面と係合する一対の係合部とを備え、
前記第２ケースの各ヒンジ軸を前記第１袋部の軸穴に嵌め込ませて前記ヒンジ連結部材が各々組み付けられ、前記一対の係合部を前記第２袋部の周面開口部から袋状内壁面に各々係合させることでケース体どうしが抜け止めされ、該一対の係合部により前記ヒンジ連結部材の軸方向外方への移動が規制された状態で前記第１ケース体と第２ケース体とが前記ヒンジ軸を中心に開閉可能に組み付けられることを特徴とする遊技機用基板収納ケース。
【請求項２】
前記第２袋部の外周面に、前記係合部と周面開口部の嵌め合い部分を覆う起立壁が突設されている請求項１記載の遊技機用基板収納ケース。
【請求項３】
請求項１又は請求項２記載の遊技機用基板収納ケースを備えたことを特徴とする遊技機。
【発明の詳細な説明】
【技術分野】
【０００１】
本発明は、遊技機用基板収納ケース及びそれを備えた遊技機に関する。
【背景技術】
【０００２】
パチンコ機などの遊技機には、遊技機本体の正面側に遊技盤や図柄表示装置（液晶表示装置）が視認可能に設けられる一方で、遊技機背面側には、遊技盤の背面側を覆う盤裏カバーや遊技機本体の背面側に遊技機の動作を制御する各種制御基板が設けられている。例えば、商用電源から各種制御基板に電源を供給する電源回路を供えた電源基板、図柄表示装置の動作制御を行なう画像処理基板、スピーカーから出力される音声を制御する音声制御基板、遊技機の遊技動作を制御する主制御基板、球払出装置の動作を制御する払出制御基板、球発射装置の動作を制御する発射制御基板などが設けられている。特に主制御基板、払出制御基板は、基板収納ケースに収納されている。
【０００３】
基板収納ケースの一例について説明すると、ＣＰＵやＲＯＭ，ＲＡＭ、コネクタ端子台などの電気部品が片面実装された主制御基板を覆う蓋体がベース体と組み付けられて形成される基板収容部に主制御基板が収納される。
【０００４】
具体的には、主制御基板の実装面を覆う蓋体の長手方向一側面から突設された係止片を対応するベース体の長手方向一側面に設けられた係止凹部に挿入して蓋体を回転させることによりベース体の四方を囲む側壁に囲まれた収納空間内に嵌め込まれる。そして、蓋体側に設けられたワンウェイねじによりベース体側の被固着部に設けられたねじ孔にねじ嵌合させて基板収納ケースが封止されるようになっている。
【０００５】
基板収納ケースは、主制御基板の検査が行われたことや不正行為が行なわれた事実が外観上判明できるように、蓋体側に設けられた封止部を破壊しなければベース体より蓋体を取り外せないようになっている。また、一旦開放された蓋体を再度ベース体に組み付けて主制御基板を封止できるように、ワンウェイねじと被固着部が複数箇所に設けられている。
【０００６】
蓋体に設けられたヒンジ機構のヒンジ軸はベース体の支軸部の軸受溝に回転可能に嵌め込まれており、蓋体をベース体に対して所定角度以上開放するとヒンジ軸が軸受溝から外れて、蓋体がベース体より取り外せるようになっている（特許文献１参照）。
【先行技術文献】
【特許文献】
【０００７】
【特許文献１】特開平１１−１１４１４９号公報
【発明の開示】
【発明が解決しようとする課題】
【０００８】
近年の中古台市場の拡大にともない、中古の遊技機を再利用するニーズが高まっている。中古台の基板収納ケースを利用して、改変した主制御基板を収納したものをパチンコ店の正規品とすり替える不正行為が行われる虞がある。予め決められた封止部の封止回数を越えて基板収納ケースの再利用はできないが、封止部を破壊された蓋体（回動封印部材）を複製できれば、そのほかの部品を再利用することで、基板収納ケースの複製が可能になる。
かかる不正行為を防止するため、一旦封止された基板収納ケースが容易に開放できないこと、並びに封止部が破壊されると蓋体及びベース体の双方に開封の痕跡を残すことが望まれるが、封止部の構成や封止・解除動作が複雑になるという問題がある。
【０００９】
また、蓋体をベース体に対してヒンジ軸を中心に開閉する基板収納ケースにおいては、ヒンジ軸と軸受溝の隙間に異物を挿入されて、基板収納ケースが開放されるおそれがある。
かかる不正行為を防止するため、一旦封止された基板収納ケースが容易に開放できないこと、並びに封止部が破壊されると蓋体及びベース体の双方に開封の痕跡を残すこと、更には基板収納ケースの複製を抑制するためには蓋体及びベース体が容易に分離し難いことが望まれる。
【００１０】
本発明の目的は、上記実情に鑑みてなされたものであり、簡易な構造でありながらも基板収納ケースにおける不正行為を防止し、基板収納ケースの複製が困難であるとともに、基板収納ケースの分離が容易に行ない難く、仮に分離され不正行為が行われたとしても不正行為を迅速に発見することができる遊技機用基板収納ケース及びそれを備えることで不正防止効果を高めた遊技機を提供することにある。
【課題を解決するための手段】
【００１１】
本発明は上記目的を達成するため、以下に述べる実施形態に用いられる手段として次の構成を備えることを特徴とする。
第１ケース体と、該第１ケース体とヒンジ軸を中心に開閉可能に組み付けられる第２ケース体とを備え、前記第１ケース体と第２ケース体とが組み付けられて形成される基板収納部に回路基板が収納されたまま封止される遊技機用基板収納ケースであって、前記第２ケース体に外方に向けて突設された一対のヒンジ軸と、前記各ヒンジ軸を軸方向外側より側面開口部に設けられた軸穴に嵌め込んで袋状に覆う第１袋部と、前記第１袋部の周囲に底壁部を共通とし当該第１袋部を袋状に覆う第２袋部が形成された一対のヒンジ連結部材と、前記第１ケース体に設けられ、前記第２袋部の周面に形成された周面開口部から前記第２袋部の側面開口部内に挿入されて袋状内壁面と係合する一対の係合部とを備え、前記第２ケースの各ヒンジ軸に前記第１袋部の軸穴を嵌め込ませて前記ヒンジ連結部材が各々組み付けられ、前記一対の係合部を前記第２袋部の周面開口部から袋状内壁面に各々係合させることでケース体どうしが抜け止めされ、該一対の係合部により前記ヒンジ連結部材の軸方向外方への移動が規制された状態で前記第１ケース体と第２ケース体とが前記ヒンジ軸を中心に開閉可能に組み付けられることを特徴とする。
【００１２】
上述した遊技機用基板収納ケースを用いれば、第１ケース体と第２ケース体とがヒンジ軸をヒンジ連結部材に覆われて抜け止めされたままの状態で当該ヒンジ軸を中心に開閉可能に組み付けられているので、ヒンジ軸が露出しないため、封止された第１ケース体と第２ケース体のヒンジ軸の隙間から異物を挿入して基板収納ケースを開放しようとする不正行為を防ぐことができる。
また、第２ケース体の二つのヒンジ軸にヒンジ連結部材が各々嵌め込まれた状態で第１ケース体の一対の係合部が係合することにより、ヒンジ連結部材の軸方向の移動が一対の係合部によって規制され、第１ケース体と第２ケース体が抜け止めされた状態でヒンジ軸を中心に開閉可能に組み付けられ、ヒンジ連結部材の側面開口部は、第２ケース体の側壁部により覆われる。これにより、第１ケース体と第２ケース体とが嵌め殺し状態となり、第１ケース体と第２ケース体を無理に分離しようとするとケース体の一部やヒンジ連結部材が破損するので、基板収納ケースの複製が困難となり、不正行為を未然に防ぐことができる。
【００１３】
また、前記第２袋部の外周面に、前記係合部と周面開口部の嵌め合い部分を覆う起立壁が突設されていることを特徴とする。
【００１４】
これによれば、第２袋部の外周面に、係合部と周面開口部の嵌め合い部分を覆う起立壁が突設されているので、第１ケース体と第２ケース体が開放した状態においてもヒンジ軸に異物を挿入し難く、蓋体とベース体を破壊せずに分離することができないため、基板収納ケースの複製が行い難くなる。
【００１５】
また、遊技機においては、上述した遊技機用基板収納ケースを備えたことを特徴とする。
【００１６】
上述した遊技機用基板収納ケースを備えた遊技機においては、不正行為を有効に防止でき、不正防止効果を高めることができる。
【発明の効果】
【００１７】
本発明によれば、簡易な構造でありながらも基板収納ケースにおける不正行為を防止し、基板収納ケースの複製が困難であるとともに、基板収納ケースの分離が容易に行ない難く、仮に分離され不正行為が行われたとしても不正行為を迅速に発見することができる遊技機用基板収納ケースを提供することができるという効果を奏する。
【００１８】
また、上述した効果を有する遊技機用基板収納ケースを備えることで、不正行為を有効に防止でき、不正防止効果を高めた有用な遊技機を提供することができるという効果を奏する。
【図面の簡単な説明】
【００１９】
【図１】パチンコ機の正面図である。
【図２】図１のパチンコ機の背面図である。
【図３】主制御基板を収納する基板収納ケースの平面図及び斜視図である。
【図４】かしめ後の基板収納ケースの斜視図である。
【図５】基板収納ケースの分解組立図である。
【図６】かしめ前の基板収納ケース体の部分斜視図である。
【図７】図３の矢印Ａ−Ａ断面図である。
【図８】図３の矢印Ｄ−Ｄ断面図である。
【図９】主制御基板の電気部品実装面側から見た蓋体の分解斜視図である。
【図１０】主制御基板の裏面側から見た蓋体の分解斜視図である。
【図１１】封止部の平面図及び斜視図である。
【図１２】図３の矢印Ｅ−Ｅ断面図である。
【図１３】図３の矢印Ｃ−Ｃ断面図である。
【図１４】かしめ前の図３のＦ部の拡大平面図、拡大断面図、矢印Ｂ−Ｂ断面図である。
【図１５】かしめ後の図３のＦ部の拡大平面図、拡大断面図、矢印Ｂ−Ｂ断面図である。
【図１６】かしめ解除後の図３のＦ部の拡大平面図、拡大断面図、矢印Ｂ−Ｂ断面図である。
【図１７】開封された基板収納ケースの切断痕を示す斜視説明図である。
【図１８】基板収納ケースを構成する第１ケース体と第２ケース体が係止した状態を示す部分破断図である。
【発明を実施するための形態】
【００２０】
以下、本発明の実施形態について図面を参照しながら具体的に説明する。
図１及び図２を参照して本実施形態に係る遊技機の概略構成について説明する。本実施例としては、遊技機の一例としてパチンコ機について説明するものとする。
【００２１】
図１を参照して本実施形態に係るパチンコ機の概略構成について説明する。パチンコ機１は、外枠２と遊技盤３が設けられた内枠４（図２参照）と、該内枠４を覆う前面枠５を備えている。内枠４は、ヒンジ４ａ，４ｂにより外枠２に対して開閉可能に取り付けられている。また前面枠５は内枠４に対して開閉可能に取り付けられている（ヒンジ部図示せず）。前面枠５の中央部には遊技者が遊技盤３を視認できる窓部（ガラス枠）６が設けられている。該窓部６の周囲にはスピーカー７や装飾部（図示せず）などが設けられる。
【００２２】
また、窓部６の下方には、貸球や賞球を貯留し図示しない球発射装置へ球を誘導する球受け皿８が設けられている。球受け皿８の右側には、図示しない球発射装置によって遊技領域へ発射される遊技球の発射力を調節するための発射ハンドル９が設けられている。
【００２３】
遊技盤３の盤面上に形成される遊技領域内には、中央部に図柄表示装置（液晶表示装置）１０を備えたセンター役物１１が設けられ、その周囲には図示しない釘、スルーチャッカー１２、風車１３、電動チューリップ１４、アタッカー１５、遊技盤レール１６、サイドランプ１７などの盤面部品やアウト球（電動チューリップ１４，アタッカー１５等に入賞しなかった遊技球）を回収するアウト口１８などが設けられている。
【００２４】
図２において、内枠３の背面側上辺部には貯留タンク１９が設けられ、貯留タンク１９にはパチンコ機１が配置されたホールの島から遊技球が供給される。貯留タンク１９は、球供給方向下流側（図２の右端側）に設けられるタンクレール２０に向けて底部が下方に傾斜するように形成されている。また、タンクレール２０の終端部（下流端）には球通路２１ａが連絡しており、球通路２１ａの下流側は球払出装置２１（球払出手段）に接続されている。球払出装置２１はタンクレール２０より球通路２１ａを通じて整列して供給される遊技球を貸球、賞球として順次払い出す。球払出装置２１より払い出された遊技球は、球払出通路２２を流下して球払出樋２３を経て球受け皿８（図１参照）へ払い出される。
【００２５】
図２において、遊技盤３の背面側は盤裏カバー２４に覆われている。遊技盤３の背面側には、遊技動作を統括制御する主制御基板（回路基板）２５や図柄表示装置１０とこれを制御する画像処理基板等（図示せず）、球払出装置２１の動作を制御する払出制御基板２６、球発射装置（図示せず）の動作を制御する発射制御基板２７などが設けられている。上記払出制御基板２６及び発射制御基板２７は内枠４に組み付けられ、主制御基板２５は、後述する基板収納ケース２８に収納されて封止された状態で盤裏カバー２４に組み付けられる。
【００２６】
主制御基板２５を収納する基板収納ケース２８の一例について図３乃至図１７を参照して説明する。基板収納ケース２８は、蓋体２９がベース体３０と一体に組み付けられて形成される基板収納部Ｓ（図７参照）に主制御基板２５が収納されて封止される。以下各部の構成について詳細に説明する。
【００２７】
図９において、主制御基板２５にはパチンコ機の動作を制御するＣＰＵや各種制御プログラムを記憶したＲＯＭ，入力データを一時記憶したりＣＰＵのワークエリアとして使用されたりするＲＡＭ、各種配線接続用のコネクタ端子台３１などの電気部品が片面実装されている。また、パチンコ機１の検査に用いられる照合端子３２も設けられている。
【００２８】
蓋体２９（第１ケース体）は、主制御基板２５の電気部品実装面を覆うように組み付けられる（図９参照）。主制御基板２５に設けられるコネクタ端子台３１や照合端子３２は、蓋体２９に設けられた貫通孔２９ｇ，２９ｈを貫通して蓋体２９の上面に露出するように組み付けられる（図３（ａ）参照）。
【００２９】
蓋体２９は、図５に示すように、ベース体３０（第２ケース体）とヒンジ軸３３を中心に開閉可能に組み付けられる。ヒンジ軸３３は、ベース体３０の短手方向の一端側の両側部に各々突設されている。ヒンジ軸３３の軸方向両側よりヒンジ連結部材３４が各々回転可能に組み付けられる。ヒンジ連結部材３４は、側面開口部３４ｅ内の底壁部３４ｆに筒状の第１袋部３４Ａが突設されており、該第１袋部３４Ａにはヒンジ軸３３が嵌め込まれる嵌合穴（有底軸穴）３４ａが設けられている。また、第１袋部３４Ａの周囲には底壁部３４ｆを共通にする第２袋部３４Ｂが第１袋部３４Ａを袋状に覆うように形成されている。第２袋部３４Ｂの外周面には、周面開口部３４ｂが設けられている。この周面開口部３４ｂには、後述する蓋体２９に設けられる一組の蓋体係合部２９ａが嵌め込まれて袋状内壁面３４ｄと係合するようになっている（図７及び図１０参照）。また、周面開口部３４ｂの開口縁部には、蓋体係合部２９ａと周面開口部３４ｂの嵌め合い部分を覆う起立壁３４ｃが突設されている。
【００３０】
蓋体２９には、図７に示すように、ヒンジ連結部材３４に形成された周面開口部３４ｂから挿入されて袋状内壁面３４ｄと係合する一組の蓋体係合部２９ａが一対のヒンジ連結部材３４に対応して両側に一対設けられている。各蓋体係合部２９ａの先端にはくさび状係合部２９ｂが形成されており、該くさび状係合部２９ｂは周面開口部３４ｂを通過する際に互いに接近するように弾性変形させられ当該周面開口部３４ｂを通過すると弾発して袋状内壁面３４ｄと各々係合する。これにより、図６に示すように、両側ヒンジ軸３３はヒンジ連結部材３４によって露出することなく袋状に覆われる（図８参照）。
【００３１】
このように、二つのヒンジ軸３３にヒンジ連結部材３４が各々嵌め込まれた状態で蓋体２９の蓋体係合部２９ａ（図７参照）が係合することにより、ヒンジ連結部材３４の軸方向の移動（抜け）が蓋体係合部２９ａによって規制され、蓋体２９とベース体３０が抜け止めされた状態でヒンジ軸３３を中心に開閉可能に組み付けられている。また、ヒンジ連結部材３４の側面開口部３４ｅは、ベース体３０の側壁部３０ｂにより覆われている（図８参照）。
【００３２】
よって、ヒンジ軸３３及び一対の蓋体係合部２９ａが外部に露出しないため、封止された蓋体２８とベース体３０のヒンジ軸３３の隙間から異物を挿入して基板収納ケース２８を開放しようとする不正行為を防ぐことができる。
また、ヒンジ軸３３がヒンジ連結部材３４の第１袋部３４Ａ内に収納され、一対の蓋体係合部２９ａが第２袋部３４Ｂ内に収納されて蓋体２８とベース体３０とが嵌め殺し状態となり、無理に分離しようとするとケース体の一部（ヒンジ軸３３、蓋体係合部２９ａ）やヒンジ連結部材３４が破損するので、基板収納ケース２８の複製が困難となり、不正行為を未然に防ぐことができる。
【００３３】
また、ヒンジ連結部材３４の開口縁部には、蓋体係合部２９ａと周面開口部３４ｂの嵌め合い部分を覆う起立壁３４ｃが突設されているので、蓋体２９とベース体３０が開放した状態においてもヒンジ軸３３に異物を挿入し難く、蓋体２９とベース体３０を破壊しなければ分離させることができなくなり、基板収納ケース２８の複製が行い難くなる。
【００３４】
図５において、蓋体２９がヒンジ軸３３と連繋するベース体３０の開放端の一部には可撓性を有する爪部３０ａが長手方向に複数箇所（４箇所）に設けられている。また、蓋体２９に組み付けられる取付板３９には、爪部３０ａに対応して爪係合部３９ｃ（爪係合孔；図９及び図１８参照）が複数箇所に設けられている。蓋体２９とベース体３０はヒンジ軸３３を中心に回転させて爪部３０ａを爪係合部３９ｃと係止解除した状態で閉止される（図３（ａ）（ｂ）参照）。このとき、爪部３０ａと爪係止部３９ｃの係止部はケース外部から操作できないように内封されている。
【００３５】
図３（ａ）（ｂ）において、蓋体２９の上面には、爪係合部３９ｃに対応して一方向にのみ回転操作可能な円板状の操作部（ダイヤル部）３５が長手方向に複数箇所（例えば４箇所）に設けられている。操作部３５が組み付けられる蓋体２９の上面は、段付部２９ｉが形成されており、その段付部２９ｉの壁面には、操作部３５の回転範囲を規定する突き当て部２９ｊが複数箇所（例えば４箇所）に突設されている。
【００３６】
操作部３５の外周面には、図１１（ａ）（ｂ）に示すように、突起部３５ａが２箇所に突設されている。また、操作部３５の裏面側には、操作部３５の回転操作により爪部３０ａに当接して爪係合部３９ｃへ係合させたまま位置規制する係合規制部３６が形成されている。操作部３５の回転軸３５ｂの外周部にはラチェット歯３５ｃが形成されている。また、操作部３５の裏面側の外周縁部には、初期位置並びに最終位置において爪部３０ａの爪係合部３９ｃへの係合を規制する解除規制部３５ｅ，３５ｆが、回転軸３５ｂ側に向けて突設されている（図１１（ｂ）参照）。
【００３７】
図９において、蓋体２９の上面には、操作部３５が嵌め込まれる嵌合孔２９ｄが長手方向に複数箇所（例えば４箇所）に設けられている。各嵌合孔２９ｄの周囲には、操作部３５の初期位置を規定する初期ストッパー３７が各々突設されている。また、各嵌合孔２９ｄの周囲には、操作部３５の回転方向に沿って設けられた後述するベース体側封止ストッパー４３と初期ストッパー３７との間に当該操作部３５の回転を不能にする蓋体側封止ストッパー４４が設けられている。
【００３８】
また、蓋体２９の下面には、図９及び図１０に示すように、取付板３９がビス孔３９ｂとボス部２９ｅとを位置合わせしてビス４０が嵌め込まれて組み付けられる。取付板３９には、ラチェット歯３５ｃと係止する係止フック３８並びに嵌合孔２９ｄに連通する嵌合孔３９ａが形成されている。また、取付板３９には、爪部３０ａが係合可能な爪係合部３９ｃが複数箇所に設けられている。操作部３５は、蓋体２９に設けられた嵌合孔２９ｄ，３９ａに回転軸３５ｂを挿入して嵌め込まれ、ラチェット歯３５ｃが係止フック３８と噛み合い（図１２参照）、回転軸３５ｂの軸端に設けられたビス孔３５ｄに座金４１を介してビス４２が嵌め込まれて組み付けられる（図１３参照）。ビス４０，４２は容易に分解されないようにするため、ワンウェイねじ等の特殊なビスを用いることが望ましい。
【００３９】
図５において、ベース体３０の開放端側には、爪部３０ａが爪係合部３９ｃに係合した封止状態のまま操作部３５の更なる回転を不能にする封止ストッパー４３が複数箇所（例えば４箇所）に突設されている。封止ストッパー４３は、蓋体２９をベース部３０に閉止した状態で、当該蓋体２９に設けられた貫通孔２９ｆ（図９参照）を貫通して蓋体上面より突出するように組み付けられる（図３，図４参照）。
【００４０】
次に、基板収納ケース２８の封止作業及び開封作業の一例について説明する。
先ず、図７に示すように主制御基板２５は蓋体２９に電気部品実装面を覆われてビス止めされて一体に組み付けられる。また、操作部３５は、蓋体２９の上面側で初期ストッパー３７により回転を規制されたまま初期位置を保ったまま組み付けられている。
【００４１】
次に図５に示すように二つのヒンジ軸３３にヒンジ連結部材３４が嵌め込まれた状態で、周面開口部３４ｂに蓋体係合部２９ａが係合することにより、蓋体２９とベース体３０がヒンジ軸３３を中心に開閉可能でかつ分離不可能に組み付けられる。
尚、基板収納ケース２８は、蓋体２９の長手方向に４箇所に設けられた操作部３５のうち、所定の２箇所（例えば左右２箇所に分かれて設けられた操作部のうちから１箇所ずつ）を回転操作して封止されるが、封止構造は同様であるので、以下の説明では１箇所の操作部３５について行なうものとする。
【００４２】
図６において、ヒンジ軸３３を中心に回転する蓋体２９をベース体３０に重ね合わせて基板収納ケース２８を閉止する。このとき、操作部３５は、図１４（ａ）に示すように、突起部３５ａは初期ストッパー３７に回転を規制された状態にある。また、図１４（ｂ）に示すように、係合規制部３６は規制面３６ａが爪部３０ａと離間した位置にある。また、解除規制部３５ｅが爪部３０ａと対向した位置にあるため、図１４（ｃ）に示すように、爪部３０ａは、解除規制部３５ｅに当接してベース部３０の内方に傾倒するように撓ませた状態で組み付けられる。
【００４３】
次に閉止された基板収納ケース２８を封止する。図１５（ａ）に示すように、初期ストッパー３７を除去して、操作部３５を反時計回り方向へ回転させる。尚、ラチェット歯３５ｃと係止フック３８の噛み合いは、反時計回り方向への回転は許容されるが、逆方向（時計回り方向）の回転は規制されるようになっている。操作部３５を突起部３５ａがベース体側封止ストッパー４３，蓋体側封止ストッパー４４に突き当たるまで回転させる。このとき、図１５（ｂ）に示すように、操作部３５の解除規制部３５ｅが爪部３０ａとの当接が外れて係合規制部３６の規制面３６ａが爪部３０ａに当接して爪部３０ａを外方に向けて押し戻す。これにより、図１５（ｃ）に示すように、ベース体３０の爪部３０ａが蓋体２９（取付板３９）の爪係合部３９ｃへ係合したまま保持される（図１８参照）。
【００４４】
このように、操作部３５を回転操作するだけで基板収納ケース２８の封止作業が行なえるので操作性が良いうえに、爪部３０ａと爪係止部３９ｃの係止部をケース外部から操作できないので、基板収納ケース２９が不正開封され難くなる。
また、初期ストッパー３７を除去して操作部３５を所定方向へ回転操作して突起部３５ａがベース体側封止ストッパー４３，蓋体側封止ストッパー４４に突き当たるまで回転させて基板収納ケース２８が封止される。そして、ベース体側封止ストッパー４３及び蓋体側封止ストッパー４４を除去しなれければ、操作部３５を更に回転操作できないため、爪部３０ａと爪係止部３９ｃとの係止が解除できず、基板収納ケース２８を開放できない。よって、一旦封止された基板収納ケース２８を開放すると、ベース体側封止ストッパー４３及び蓋体側封止ストッパー４４が切断さられることになり、蓋体２９及びベース体３０の双方に開封の痕跡が残るので、不正開封を発見し易く、かつ蓋体２９及びベース体３０の双方を複製し難くなる。
【００４５】
また、基板収納ケース２８を開封する場合には、図１６（ａ）に示すように、ベース体側封止用ストッパー４３及び蓋体側封止ストッパー４４を除去し、操作部３５を反時計回り方向に回転操作する。そして、一方の突起部３５ａが蓋体２９に形成された突き当て部２９ｊに突き当たると回転が規制される。このとき、図１６（ｂ）に示すように、係合規制部３６の規制面３６ａが爪部３０ａより離間し、操作部３５の解除規制部３５ｆが爪部３０ａと当接して再びベース体３０の内方に向けて傾倒するように撓ませる。これにより、図１６（ｃ）に示すように爪部３０ａと爪係合部３９ｃとの係合が外れるため、図１７に示すように蓋体２９をベース体３０よりヒンジ軸３３を中心に回転させて基板収納ケース２８を開放することができる。これにより、例えば検査のため蓋体２９とベース体３０の開閉作業をスムーズに行なうことができる。
【００４６】
尚、図１７に示すように基板収納ケース２８を開封する場合には、ベース体封止ストッパー４３と蓋体側封止ストッパー４４を除去する必要があるため、双方に開封の痕跡が残り操作部３５を一回転させ基板収納ケース２８を開封したことが容易に把握できる。
【００４７】
上述した実施形態はベース体３０にヒンジ軸３３及びヒンジ連結部材３４を設け蓋体２９に蓋体係合部２９ａを設けたが、蓋体２９にヒンジ軸３３及びヒンジ連結部材３４を設け、ベース体３０にベース体係合部を設けてもよい。また、ベース体３０に爪部３０ａ、蓋体２９に爪係合部３９ｃを設けたが、蓋体に爪部を設け、ベース体に爪係合部を設けてもよい。
【００４８】
また、基板収納ケース２８は、主制御基板２５を収納する場合について説明したが、他の制御基板（例えば払出制御基板２６、発射制御基板２７等）を収納するケースに適用してもよい。
また、遊技機の一例としてパチンコ機について説明したが、他の遊技機、例えば雀球遊技機やアレンジボール遊技機などに適用してもよい。
【符号の説明】
【００４９】
１  パチンコ機
２  外枠
３  遊技盤
４  内枠
４ａ，４ｂ  ヒンジ
５  前面枠
６  窓部
７  スピーカー
８  球受け皿
９  発射ハンドル
１０  図柄表示装置（液晶表示装置）
１１  センター役物
１２  スルーチャッカー
１３  風車
１４  電動チューリップ
１５  アタッカー
１６  遊技盤レール
１７  サイドランプ
１８  アウト口
１９  貯留タンク
２０  タンクレール
２１  球払出装置
２２  球払出通路
２３  球払出樋
２４  盤裏カバー
２５  主制御基板
２６  払出制御基板
２７  発射制御基板
２８  基板収納ケース
２９  蓋体（第１ケース体）
２９ａ  蓋体係合部
２９ｂ  くさび状係合部
２９ｄ，３９ａ  嵌合孔
２９ｅ  ボス部
２９ｆ，２９ｇ，２９ｈ  貫通孔
２９ｉ  段付部
２９ｊ  突き当て部
３０  ベース体（第２ケース体）
３０ａ  爪部
３１  コネクタ端子台
３２  照合端子
３３  ヒンジ軸
３４  ヒンジ連結部材
３４Ａ  第１袋部
３４Ｂ  第２袋部
３４ａ  嵌合穴
３４ｂ  周面開口部
３４ｃ  起立壁
３４ｄ  袋状内壁面
３４ｅ  側面開口部
３４ｆ  底壁部
３５  操作部
３５ａ  突起部
３５ｂ  回転軸
３５ｃ  ラチェット歯
３５ｄ  ビス孔
３５ｅ，３５ｆ  解除規制部
３６  係合規制部
３６ａ  規制面
３７  初期ストッパー
３８  係止フック
３９  取付板
３９ｃ  爪係合部
４０，４２  ビス
４１  座金
４３  ベース体側封止ストッパー
４４  蓋体側封止ストッパー
【図１】
0005522464.tif 000002
【図２】
0005522464.tif 000003
【図３】
0005522464.tif 000004
【図４】
0005522464.tif 000005
【図５】
0005522464.tif 000006
【図６】
0005522464.tif 000007
【図７】
0005522464.tif 000008
【図８】
0005522464.tif 000009
【図９】
0005522464.tif 000010
【図１０】
0005522464.tif 000011
【図１１】
0005522464.tif 000012
【図１２】
0005522464.tif 000013
【図１３】
0005522464.tif 000014
【図１４】
0005522464.tif 000015
【図１５】
0005522464.tif 000016
【図１６】
0005522464.tif 000017
【図１７】
0005522464.tif 000018
【図１８】
0005522464.tif 000019